(57)【特許請求の範囲】
【請求項１】
装置間（Ｄ２Ｄ）通信をサポートするセルラ通信システムであって、
送信Ｄ２Ｄモバイル装置と、
Ｄ２Ｄ伝送チャネルを介して前記送信Ｄ２Ｄモバイル装置と無線で接続された受信Ｄ２Ｄモバイル装置と、
干渉チャネルを介して前記送信Ｄ２Ｄモバイル装置と無線で接続された近接受信モバイル装置と、
下りリンク伝送のための通信仕様により定義される下りリンクセルラチャネルを介して、プリコーディング複数入力複数出力（ＭＩＭＯ）パラメータを前記送信Ｄ２Ｄモバイル装置に送信する基地局と、を備え、
前記送信Ｄ２Ｄモバイル装置は、前記送信Ｄ２Ｄモバイル装置から送信されるＤ２Ｄ伝送信号に前記プリコーディングＭＩＭＯパラメータを適用するように構成され、
前記プリコーディングＭＩＭＯパラメータは、少なくとも前記干渉チャネルのチャネル特性を示すチャネルパラメータに基づいており、前記Ｄ２Ｄ伝送信号に起因する前記近接受信モバイル装置における干渉の干渉管理を円滑化するように決定される、
セルラ通信システム。
【請求項２】
前記基地局は、モバイル無線装置から基地局への上りリンク通信のための通信仕様により定義された定義セルラ上りリンクチャネルを介して前記チャネルパラメータを受信するように構成されている、
請求項１に記載のシステム。
【請求項３】
前記基地局は、前記送信Ｄ２Ｄモバイル装置から前記チャネルパラメータを受信するように構成されている、
請求項２に記載のシステム。
【請求項４】
前記基地局は、前記近接受信モバイル装置から前記チャネルパラメータを受信するように構成されている、
請求項２に記載のシステム。
【請求項５】
前記近接受信モバイル装置は、前記送信Ｄ２Ｄモバイル装置から送信された参照信号を測定することにより前記チャネルパラメータを決定するように構成されている、
請求項４に記載のシステム。
【請求項６】
前記基地局は、前記送信Ｄ２Ｄモバイル装置から前記チャネルパラメータを受信するように構成されている、
請求項１に記載のシステム。
【請求項７】
前記送信Ｄ２Ｄモバイル装置は、前記近接受信モバイル装置から送信された参照信号を測定することにより前記チャネルパラメータを決定するように構成されている、
請求項６に記載のシステム。
【請求項８】
前記チャネルパラメータは、
前記送信Ｄ２Ｄモバイル装置と前記受信Ｄ２Ｄモバイル装置との間のＤ２Ｄ伝送チャネルのＤ２Ｄ伝送チャネル特性を示すＤ２Ｄチャネルパラメータと、
前記干渉チャネルを示す干渉チャネル特性と、を含み、
前記基地局は、前記受信Ｄ２Ｄモバイル装置から前記Ｄ２Ｄチャネルパラメータを受信し、前記近接受信モバイル装置から前記干渉チャネル特性を受信するように構成されている、
請求項２に記載のシステム。
【請求項９】
前記干渉管理は、干渉除去、干渉シェーピング、干渉回避、干渉抑制のうち一つである、
請求項１に記載のシステム。
【請求項１０】
前記干渉管理は、干渉アライメント（ＩＡ）を含む、
請求項１に記載のシステム。
【請求項１１】
近接伝送チャネルを介して前記近接受信モバイル装置と無線で接続され、第２の干渉チャネルを介して前記受信Ｄ２Ｄモバイル装置と無線で接続された近接送信装置をさらに備え、
前記基地局は、他のプリコーディングＭＩＭＯパラメータを前記近接送信装置に送信するようにさらに構成され、
前記他のプリコーディングＭＩＭＯパラメータは、少なくとも前記第２の干渉チャネルのチャネル特性を示す他のチャネルパラメータに基づいており、前記近接送信装置から送信された他の伝送信号に起因する前記受信Ｄ２Ｄモバイル装置における干渉の干渉管理を円滑化するように決定される、
請求項１に記載のシステム。
【請求項１２】
前記基地局は、前記下りリンクセルラチャネルを介して前記他のプリコーディングＭＩＭＯパラメータを送信するように構成されている、
請求項１１に記載のシステム。
【請求項１３】
前記基地局は、前記受信Ｄ２Ｄモバイル装置から前記他のチャネルパラメータを受信するように構成されている、
請求項１１に記載のシステム。
【請求項１４】
前記基地局は、モバイル無線装置から基地局への上りリンク通信のための通信仕様により定義された定義セルラ上りリンクチャネルを介して前記他のチャネルパラメータを受信するように構成されている、
請求項１１に記載のシステム。
【請求項１５】
前記下りリンクセルラチャネルは、物理下りリンク制御チャネル（ＰＤＣＣＨ）である、
請求項１に記載のシステム。
【請求項１６】
前記下りリンクセルラチャネルは、物理下りリンク共有チャネル（ＰＤＳＣＨ）である、
請求項１に記載のシステム。
【請求項１７】
前記下りリンクセルラチャネルは、ブロードキャストチャネルである、
請求項１に記載のシステム。
【請求項１８】
前記基地局は、前記近接受信モバイル装置を備える、
請求項１に記載のシステム。
【請求項１９】
無線通信装置であって、
基地局と無線通信装置との間の下りリンク伝送のための通信仕様により定義されたセルラ下りリンク通信チャネルを介して、セルラ基地局からプリコーディング複数入力複数出力（ＭＩＭＯ）パラメータを受信するように構成された受信部と、
受信Ｄ２Ｄモバイル装置に送信する装置間（Ｄ２Ｄ）伝送信号に前記プリコーディングＭＩＭＯパラメータを適用するように構成された送信部と、を備え、
前記プリコーディングＭＩＭＯパラメータは、少なくとも前記無線通信装置と近接受信モバイル装置との間の干渉チャネルのチャネル特性を示すチャネルパラメータに基づいており、
前記プリコーディングＭＩＭＯパラメータは、前記Ｄ２Ｄ伝送信号に起因する前記近接受信モバイル装置における干渉の干渉管理を円滑化する、
無線通信装置。
【請求項２０】
前記干渉管理は、干渉除去、干渉シェーピング、干渉回避、干渉抑制のうち一つである、
請求項１９に記載の装置。
【請求項２１】
前記干渉管理は、干渉アライメント（ＩＡ）を含む、
請求項１９に記載の装置。
【請求項２２】
前記受信部は、前記近接受信モバイル装置により送信された参照信号を受信し、前記チャネル特性を測定するようにさらに構成され、
前記送信部は、前記チャネルパラメータを前記基地局に送信するようにさらに構成されている、
請求項１９に記載の装置。
【発明の詳細な説明】
【優先権の主張】
【０００１】
本出願は、本出願の譲受人へ譲渡された仮出願番号：６１／６７３，０００、発明の名称：「干渉制御を使用したネットワーク支援Ｄ２Ｄ通信（Ｎｅｔｗｏｒｋ  Ａｓｓｉｓｔｅｄ  Ｄ２Ｄ  Ｃｏｍｍｕｎｉｃａｔｉｏｎｓ  Ｕｓｉｎｇ  Ｉｎｔｅｒｆｅｒｅｎｃｅ  Ｃｏｏｒｄｉｎａｔｉｏｎ）」（整理番号：ＴＰＲＯ  ００２２１  ＵＳ、出願日：２０１２年６月１８日）の優先権を主張し、その全体が参照により明示的に組み込まれている。
【技術分野】
【０００２】
本発明は、概して、無線通信に関し、より具体的には、セルラ通信システムにおける装置間（Ｄ２Ｄ）通信の干渉管理に関する。
【背景技術】
【０００３】
多くの無線通信システムは、基地局を使用して、地理的サービスエリアを提供し、そこでは、無線通信ユーザ機器（ＵＥ）装置が、無線通信ＵＥ装置が配置される特定の地理的サービスエリアを提供する基地局と通信する。基地局は、無線通信装置と他の装置との間で通信リンクを形成させるネットワーク内で接続される。場合によっては、通信リンクは、互いに近接する無線通信装置（ＵＥ）間に形成される。これらの状況では、基地局を介して通信するよりも、むしろ２つの無線ＵＥ装置間で直接通信リンクを有することが好ましい場合がある。かかる装置間の直接通信は、しばしば、装置間（Ｄ２Ｄ）通信又はピアツーピア（Ｐ２Ｐ）通信と称される。
【発明の概要】
【０００４】
セルラ通信システムにおいて、Ｄ２Ｄモバイル装置間の装置間（Ｄ２Ｄ）信号の伝送にプリコーディング複数入力複数出力（ＭＩＭＯ）パラメータが割り当てられ、意図しない受信装置（受信近接装置）における干渉を最小化する。プリコーディングＭＩＭＯパラメータは、基地局からモバイル無線装置への下りリンク伝送のための通信仕様により定義された定義下りリンクセルラ通信リソースの一部を介して、基地局から送信Ｄ２Ｄモバイル装置に送信される。プリコーディングＭＩＭＯパラメータは、少なくとも干渉チャネルのチャネル特性を示すチャネルパラメータに基づいて決定され、干渉チャネルは、Ｄ２Ｄ送信装置と近接受信モバイル装置（意図しない受信装置）との間にある。プリコーディングＭＩＭＯパラメータは、他のチャネルの他のチャネル特性に基づいて決定されもよい。プリコーディングＭＩＭＯパラメータは、プリコーディングされた伝送信号が干渉チャネルを介して受信される際の受信近接モバイル装置における干渉管理を円滑化するように決定される。チャネル特性を示すチャネルパラメータは、基地局への上りリンク伝送のための通信仕様により定義された定義上りリンクセルラ通信リソースの一部を介して受信される。干渉管理は、干渉除去、干渉シェーピング、干渉回避、干渉抑制のうち一つ又は組み合わせを含み得る。
【図面の簡単な説明】
【０００５】
図１Ａは、無線通信装置間の装置間（Ｄ２Ｄ）通信の干渉管理のためにセルラ通信リソースが使用される通信システムの一例のブロック図である。
【０００６】
図１Ｂは、図１Ａの通信システムにおいて、干渉を管理するために使用されるリソースの一例のブロック図である。
【０００７】
図２は、送信Ｄ２Ｄモバイル装置、受信Ｄ２Ｄモバイル装置、及び近接受信装置を含む通信システムのブロック図である。
【０００８】
図３Ａは、近接送信装置が近接伝送チャネル（Ｈ２Ｂ）を介して近接受信装置に信号を送信するシステムの一例のブロック図である。
【０００９】
図３Ｂは、近接送信装置が基地局１０２である、図１Ａのシステムの一例のブロック図である。
【００１０】
図３Ｃは、近接送信装置が第２の送信Ｄ２Ｄモバイル装置である、図１Ａのシステムの一例のブロック図である。
【００１１】
図３Ｄは、近接受信装置が基地局である、図１Ａのシステムの一例のブロック図である。
【００１２】
図４は、送信Ｄ２Ｄモバイル装置としての使用に好適な無線通信装置の一例のブロック図である。
【００１３】
図５は、通信コアネットワーク及び基地局において実行される干渉管理の方法の一例のフローチャートである。
【発明を実施するための形態】
【００１４】
セルラ通信システムは、モバイル無線装置に無線サービスを提供する複数の基地局を含む。本明細書で検討される例では、通信システムは、モバイル無線装置間の装置間（Ｄ２Ｄ）通信をサポートする。Ｄ２Ｄモバイル装置と呼ばれる、Ｄ２Ｄ通信に従事するモバイル無線装置は、干渉キャンセル、干渉シェーピング（interference shaping）（干渉アライメント）、干渉回避、及び／又は、干渉除去などの技術を使用して、干渉を低減、除去、又は回避するための干渉管理を円滑化するために、Ｄ２Ｄ信号をプリコーディングする。更なる詳細について以下に記載されるように、コントローラは、チャネル特性に基づいてプリコーディングＭＩＭＯパラメータを決定し、通信仕様により定義される下りリンクセルラ通信リソースを使用して、プリコーディングＭＩＭＯパラメータを、１つ又は複数のＤ２Ｄモバイル装置へ送る。コントローラは、場合によっては、モバイル無線装置又は他の実体の一部として実施することができるが、本明細書の例では、コントローラは、コアネットワーク内に維持される。送信されるＤ２Ｄ信号に適用されるとき、プリコーディングＭＩＭＯパラメータは、送信される信号の特性を操作するために、多素子アンテナの各アンテナ素子における各コンポーネント信号の振幅及び位相成分を調整する。信号が無線チャネルを介して伝わるとき、無線チャネルは信号特性を変化させる。よって、プリコーディングＭＩＭＯパラメータは、チャネルを介した伝送後の信号の特定の信号特性を達成するために、チャネル特性に基づいて決定される。
【００１５】
通信システムは、基地局（ｅＮｏｄｅＢ、ｅＮＢ）と無線通信ユーザ機器装置（ＵＥ）との間の通信用に、セルラ通信リソースを利用する。セルラ通信リソースは、基地局から無線通信ユーザ機器（ＵＥ）装置への下りリンク通信用の下りリンク通信リソースと、ＵＥ装置から基地局への上りリンク伝送用の上りリンク通信リソースと、を含む。上りリンク通信リソースは、下りリンク通信リソースとは異なる。セルラ通信リソースの一部は、２つのＵＥ装置間の装置間（Ｄ２Ｄ）通信に、適宜、割り当てられる。Ｄ２Ｄ通信用に割り当てられた下りリンク通信リソースは、下りリンク通信には使用されない。例えば、通信リソースが時間・周波数通信リソースの場合、Ｄ２Ｄ通信リンクに割り当てられた時間区間と周波数帯（例えば、サブキャリア）は、基地局により使用されない。上りリンク通信リソースがＤ２Ｄ通信用に割り当てられる場合、リソースは、他のＤ２Ｄ通信、及び同一セルに加えて隣接セル内の上りリンク通信に対して、干渉が最小化するように割り当てられる。Ｄ２Ｄ通信用のセルラリソースを管理するための好適な技術の例が、特許出願番号：ＰＣＴ／ＵＳ２０１２／０６４７１１、代理人整理番号：ＴＵＴＬ  ００２１１  ＰＣ、発明の名称：「セルラ通信リソースを使用した装置間通信管理（ＤＥＶＩＣＥ  ＴＯ  ＤＥＶＩＣＥ  ＣＯＭＭＵＮＩＣＡＴＩＯＮ  ＭＡＮＡＧＥＭＥＮＴ  ＵＳＩＮＧ  ＣＥＬＬＵＬＡＲ  ＣＯＭＭＵＮＩＣＡＴＩＯＮ  ＲＥＳＯＵＲＣＥＳ）」、（出願日：２０１２年１１月１２日）において検討され、参照によりその全体が本明細書に組み込まれている。
【００１６】
本明細書で検討される例では、基地局は、モバイル無線装置間の装置間（Ｄ２Ｄ）伝送に適用可能なプリコーディングＭＩＭＯパラメータを確立するために、セルラ通信リソースを使用して、情報を無線通信装置と送受信する。セルラ通信リソースは、無線通信装置（ＵＥ）と基地局（ｅＮＢ）との間の通信のための通信仕様により定義される。プリコーディングＭＩＭＯパラメータは、通信Ｄ２Ｄ装置間の無線伝送チャネルのチャネル特性、及び送信Ｄ２Ｄ装置と他のＤ２Ｄ装置などの他の意図しない受信側モバイル装置との間の無線干渉チャネルのチャネル特性に基づいている。チャネル特性は、評価されるチャネルを介して他のＤ２Ｄ装置により送信される参照信号を評価するＤ２Ｄモバイル装置によって決定される。チャネル特性を示すチャネルパラメータは、上りリンク通信のための通信仕様により定義される上りリンクセルラ通信リソースを使用して、コントローラへ送信される。
【００１７】
以下で検討される例は、基地局及びモバイル無線装置を含むセルラ通信システム内で実施され、そこでは、システムは、モバイル無線装置間の装置間（Ｄ２Ｄ）通信をサポートする。干渉管理は、Ｄ２Ｄ伝送に対して、Ｄ２Ｄ送信装置において、プリコーディングＭＩＭＯパラメータを適用することにより達成される。以下で更に詳細に検討されるように、基地局とモバイル無線装置との間の通信のための通信仕様により定義されるセルラ通信リソースは、プリコーディングＭＩＭＯパラメータをＤ２Ｄ装置へ送信し、Ｄ２Ｄ装置からチャネルパラメータを受信するために使用される。
【００１８】
図１Ａ及び図１Ｂは、セルラ通信システム１００の一例のブロック図であり、セルラ通信リソースは、干渉管理を円滑化する、無線通信装置間の装置間（Ｄ２Ｄ）通信リンク１０１を確立するため、無線通信装置との通信用に使用される。図１Ａに、セルラ通信リソースとＤ２Ｄ通信リンクとの関係を示す。図１Ｂに、Ｄ２Ｄ通信リンクを確立し、プリコーディングＭＩＭＯパラメータ及びチャネルパラメータを送信する、リソースを示す。基地局１０２は、しばしば「セル」と称される地理的サービスエリア内の無線通信ユーザ機器（ＵＥ）装置１０４、１０６、１０７に無線通信サービスを提供する。複数の基地局は、典型的には、バックホールを介して相互に接続され、広域をカバーするために複数のサービスエリアを提供する。通信システム１００を参照して説明されるブロックの様々な機能及び動作は、任意の数の装置、回路、又は要素において実施されてもよい。２つ以上の機能ブロックが１つの装置に統合されてもよく、任意の１つの装置において実行されるように記載される機能は、複数の装置に亘って実施されてもよい。例えば、コントローラ１０８の機能の少なくとも一部は、無線通信装置１０４、１０６によって実行されてもよく、その逆であってもよい。セルラ通信システムは、典型的には、通信規格又は仕様に従う必要がある。第３世代パートナシッププロジェクト・ロング・ターム・エボリューション（３ＧＰＰ  ＬＴＥ）通信仕様は、下りリンクに対する直交周波数分割多重方式（ＯＦＤＭ）及び上りリンクに対するシングルキャリア周波数分割多元接続方式（ＳＣ−ＦＤＭＡ）を使って、基地局（ｅＮｏｄｅＢ）がサービスを無線通信装置（ユーザ機器（ＵＥ）装置）に提供するシステムのための仕様である。本明細書に記載される技術は、他のタイプの通信システムに適用可能ではあるが、本明細書で検討される例示的なシステムは、３ＧＰＰ  ＬＴＥ通信仕様に従って動作する。図１Ａ及び図１Ｂでは、明瞭にするために、基地局１０２と近接受信装置１０７との間の通信に使用される通信リソースは省略されている。
【００１９】
基地局１０２は、ｅＮｏｄｅＢ又はｅＮＢと称されることもある固定型の送受信機局であり、場合によっては、コントローラを含んでもよい。基地局１０２は、有線通信、光通信、及び／又は無線通信チャネルの任意の組み合わせを含んでもよいバックホール１１０を介して、コントローラ１０８に接続される。本明細書の例では、コントローラ１０８は、３ＧＰＰ  ＬＴＥ通信システムの、モビリィティ管理エンティティ（ＭＭＥ）及びパケットゲートウエイ（Ｐ−ＧＷ）の機能性を含む。よって、コントローラ１０８は、スケジューラ１１２を含む。本例では、スケジューラ１１２は、無線通信装置１０４、１０６間のＤ２Ｄ通信用及び基地局１０２と無線通信装置１０４、１０６との間のセルラ通信用の時間・周波数リソースを割り当てる。
【００２０】
無線（ＵＥ）通信装置１０４、１０６、１０７は、モバイル装置、無線装置、無線通信装置、及びモバイル無線装置、ＵＥ、ＵＥ装置、並びにそれ以外の名称で称される場合がある。無線通信ＵＥ装置１０４、１０６、１０７は、Ｄ２Ｄ構成において、基地局及び他の無線通信装置と通信するための電子部品及びコードを含む。無線通信装置は、携帯電話、パーソナルデジタルアシスタント（ＰＤＡ）、無線モデムカード、無線モデム、無線通信用電子部品を有するテレビ、並びにラップトップ及びデスクトップ型のコンピュータ、加えて他の装置、などの装置を含む。したがって、無線通信電子部品を電子装置に組み合わせることにより、無線通信装置１０４が形成されてもよい。例えば、無線通信装置は、機器、コンピュータ、又はテレビに接続された無線モデムを含んでもよい。
【００２１】
基地局１０２は、無線信号１１４、１１６、１１８、１２０を無線通信装置１０４、１０６、１０７と送受信する無線送受信機を含む。基地局及び無線通信装置１０４、１０６、１０７からの伝送は、伝送のシグナリング、プロトコル、及びパラメータを定義する通信仕様により定められる。通信仕様は、通信用の厳格なルールを提供してもよく、かつ具体的な実施は異なるが通信仕様には従っている一般的な要件を提供してもよい。以下の検討は、３ＧＰＰロング・ターム・エボリューション（ＬＴＥ）の通信仕様に関するが、場合によっては、他の通信仕様が使用されてもよい。通信仕様では、少なくとも、上りリンク及び下りリンク伝送用のデータチャネル及び制御チャネルが定義され、少なくとも、基地局から無線通信装置への物理下りリンク制御チャネル用の幾つかのタイミング及び周波数パラメータが特定される。
【００２２】
セルラ通信リソース１２１は、下りリンク信号１１４、１１６及び上りリンク信号１１８、１２０を送信するために使用される。基地局１０２は、下りリンク通信用に保持され、通信仕様により定義された定義下りリンク通信リソースのスケジューリングされた下りリンク通信リソースを使用して、下りリンク信号１１４、１１６を無線通信装置１０４、１０６に送信する。無線通信装置は、上りリンク通信用に保持され、通信仕様により定義される定義上りリンク通信リソースのスケジューリングされた上りリンク通信リソースを使用して、上りリンク信号１１８、１２０を基地局に送信する。セルラ通信リソース１２１は、時間的に分割された周波数帯を含み、各周波数帯及び時間区間は、スケジューラ１１２により識別され、基地局１０２から無線通信装置１０４、１０６、１０７に送られた制御信号に記載される。したがって、通信仕様又は他のシステムのルールは、下りリンク用の適用可能な通信リソース及び上りリンク用の適用可能な通信リソースを定義する。スケジューラ１１２は、異なる時間・周波数リソースを異なる装置に割り当て、干渉を最小化する一方、リソースを効率的に利用する。よって、１つの無線通信装置１０４と送受信される信号１１４、１１８のために使用されるスケジューリングされたセルラ通信リソースは、他の通信装置１０６と送受信される他の信号１１６、１２０のために使用されるスケジューリングされたセルラ通信リソースとは異なる。したがって、本明細書で言及されるように、セルラ通信リソース１２１は、仕様及び／又は通信システムのルールにより通信用に保持される通信リソースである。しかしながら、特定の信号の伝送用にスケジューリングされたリソースは、保持されたセルラ通信リソース１２１の一部である。
【００２３】
定義セルラ通信リソースの一部は、Ｄ２Ｄ通信用に割り当てられる（スケジューリングされる）。Ｄ２Ｄ通信リソース１２２と称される、定義セルラ通信リソース１２１の本部分（１２２）は、典型的には、適宜、動的に、かつ他の基準等チャネルの条件に基づいて、スケジューリングされる。したがって、スケジューラ１１２は、定義セルラ下りリンク通信リソース、定義セルラ上りリンク通信リソース、又はその両方のいずれかをＤ２Ｄ通信用に割り当ててもよい。
【００２４】
ある状況では、望ましくは、基地局を通さずに、無線通信装置がＤ２Ｄ通信リンクを介して直接通信する。Ｄ２Ｄ通信中、第１の無線通信装置１０４は、第１のＤ２Ｄ信号１２４を第２の無線通信装置１０６に送信し、第２の無線通信装置１０６は、第２のＤ２Ｄ信号１２６を第１の無線通信装置１０４に送信する。場合によっては、Ｄ２Ｄ伝送は、１方向のみでもよい。例えば、Ｄ２Ｄリンクは、ラップトップからディスプレイまで確立されてもよく、この場合、ラップトップだけがブロードキャスト、ストリーミング、及び他の目的のためにディスプレイに対して信号を送信する。
【００２５】
効率的なＤ２Ｄ通信のために、無線通信装置は、典型的には、互いに近接しなければならない。多くの無線通信装置が移動型であるので、任意の２つの装置間の距離は変化する。その結果、ネットワーク又は無線通信装置の１つのいずれかは、無線通信装置がＤ２Ｄ通信のために十分近接していることを判別しなければならない。本明細書の例では、無線通信装置は、他の無線通信装置から送信された参照信号を受信することにより、他の近くの無線通信装置を検出する。検出後、無線通信装置は、以下で更に詳細に検討されるように、Ｄ２Ｄ通信リンク１０１の開始を試みることができる。
【００２６】
スケジューラ１１２は、基地局１０２と無線通信装置１０４、１０６との間の通信用の時間・周波数リソースを割り当てる。更に、コントローラ１０８、スケジューラ１１２、及び／又は基地局１０２は、上りリンクに対するサウンディング参照信号（ＳＲＳ）をスケジューリングする。本明細書で検討される例では、スケジューラ１１２はまた、装置間（Ｄ２Ｄ）通信リンク１０１を確立及び／又は維持するために、無線通信ＵＥ装置１０４、１０６からのＤ２Ｄ  ＳＲＳの伝送用の時間・周波数リソースも割り当てる（スケジューリングする）。Ｄ２Ｄ  ＳＲＳ伝送は、装置検出／発見、信号取得（受信）、チャネル推定、並びにチャネル特性及びＣＳＩの決定のために使用される。Ｄ２Ｄ参照信号を送信する技術の例は、ＰＣＴ特許出願番号：ＰＣＴ／ＵＳ２０１２／６４７１２、発明の名称：「マクロセル通信リソースを使用した装置間サウンディング参照信号の伝送（ＴＲＡＮＳＭＩＳＳＩＯＮ  ＯＦ  ＤＥＶＩＣＥ  ＴＯ  ＤＥＶＩＣＥ  ＳＯＵＮＤＩＮＧ  ＲＥＦＥＲＥＮＣＥ  ＳＩＧＮＡＬ  ＵＳＩＮＧ  ＭＡＣＲＯＣＥＬＬ  ＣＯＭＭＵＮＩＣＡＴＩＯＮ  ＲＥＳＯＵＲＣＥＳ）」（整理番号：ＴＵＴＬ  ００２１２  ＰＣ、出願日：２０１２年１１月１２日）に記載され、参照によりその全体が本明細書に組み込まれている。したがって、本明細書の例では、無線通信装置は、Ｄ２Ｄ  ＳＲＳ信号を送受信することにより、その近傍において、他の無線通信装置を検出／発見する。
【００２７】
上記のように、１つの無線通信装置が他の無線通信装置を認識し、他の無線通信装置と通信を意図する場合、ネットワークを介さず、Ｄ２Ｄ通信リンクを介して通信する方がより効率的な場合がある。干渉を回避するために、Ｄ２Ｄ通信リンク１０１用に使用される通信リソースが、割り当て又はスケジューリングされなければならない。無線通信装置は、通信リソースを自律的に追跡し、割り当てることが可能であるが、ネットワーク内の更に集中型のコントローラなら、より簡単にスケジューリングを管理することが可能であり、無線通信装置での処理を削減できる。
【００２８】
近接受信装置１０７は、無線通信装置１０４，１０６のいずれかから送信される信号（１２４、１２６）の意図しない受信側である。近接受信装置１０７は、基地局１０２、及び／又は他の無線通信装置（図示せず）と無線通信中であってもよい。近接受信装置は、送信Ｄ２Ｄ装置が信号１２４を送信している同じ時間・周波数リソース内の１つ又は複数の装置からの他の信号を受信している。近接受信装置は、無線通信装置の少なくとも１つに十分近接しているので、送信された信号１２４、１２６の少なくとも一部は、近接受信装置１０７に潜在的に干渉する。以下で検討されるように、干渉管理は、近接受信装置１０７における、信号１２４、１２６に起因する干渉を、Ｄ２Ｄ信号１２４，１２６をプリコーディングするＭＩＭＯにより、緩和、回避、又は除去するために使用される。
【００２９】
図１Ｂを参照すると、通信システム１００は、基地局から無線通信ユーザ機器（ＵＥ）装置への下りリンク通信用に下りリンク通信リソース１２８を利用し、ＵＥ装置から基地局への上りリンク伝送用に上りリンク通信リソース１３０を利用している。上りリンク通信リソースは、下りリンク通信リソースとは異なる。特定の実施に基づいて、下りリンク通信リソース１２８の一部、上りリンク通信リソース１３０の一部、又はその両方の一部は、ＵＥ装置からの装置間（Ｄ２Ｄ）伝送のために、適宜、割り当てられる。よって、Ｄ２Ｄ信号１２４、１２６は、スケジューラ１１２により割り当てられた下りリンク通信リソース１２８又は上りリンク通信リソース１３０を使用してもよい。Ｄ２Ｄ通信用に割り当てられた通信リソース１２２は、下りリンク通信用には使用されない。例えば、通信リソースが時間・周波数通信リソースの場合、基地局は、Ｄ２Ｄ伝送のために割り当てられた時間区分及び周波数帯を非Ｄ２ＤＵＥ装置に供給するために使用しない。上りリンク通信リソースがＤ２Ｄ通信用に割り当てられた場合、干渉を最小化するために、これらのリソースの他の装置へのスケジューリングが管理される。
【００３０】
ＵＥ装置は、割り当てられた通信リソース１２２を使用してＤ２Ｄ信号１２４、１２６を送信する。本明細書にて検討されるように、定義下りリンク通信リソースは、基地局から無線通信装置への下りリンク通信用に保持された通信リソースとして、通信仕様により定義される通信リソースである。スケジューリングされた下りリンク通信リソースは、基地局と無線通信装置との間の下りリンク通信用に割り当て済み（スケジューリング済み）の定義下りリンク通信リソースの一部であり、Ｄ２Ｄ通信リソース１２２は、下りリンク通信リソースがＤ２Ｄ通信用に使用される場合、無線通信装置からのＤ２Ｄ伝送用に割り当て済み（スケジューリング済み）の定義下りリンク通信リソースの一部である。
【００３１】
また、本明細書で検討されるように、定義上りリンク通信リソースは、無線通信装置から基地局への上りリンク通信用に保持される通信リソースとして、通信仕様により定義される通信リソースである。スケジューリングされた上りリンク通信リソースは、無線通信装置と基地局との間の上りリンク通信用に割り当て済み（スケジューリング済み）の定義上りリンク通信リソースの一部であり、Ｄ２Ｄ通信リソース１２２は、上りリンクリソースがＤ２Ｄ通信用に使用される場合、無線通信装置からのＤ２Ｄ伝送用に割り当て済み（スケジューリング済み）の定義上りリンク通信リソースの一部である。したがって、定義セルラ通信リソース１２１は、定義リソースの一方又は両方の一部がＤ２Ｄ通信用に割り当てられる、定義セルラ下りリンク通信リソース１２８及び定義セルラ上りリンク通信リソース１３０を含む。
【００３２】
通信ネットワークは、セルラ通信リソースを介して情報を送受信することにより、Ｄ２Ｄ通信リンクを管理する。本明細書で検討される例に従って、無線通信装置は、セルラ上りリンク通信リソースを使用して、Ｄ２Ｄリンク情報を基地局に送信し、基地局は、セルラ下りリンク通信リソースを使用して、Ｄ２Ｄリンク確立メッセージを無線通信装置に送信する。Ｄ２Ｄコール／セッションは、無線通信装置が、セルラ上りリンク通信リソースを使用して、Ｄ２Ｄコール開始メッセージを送ることによって開始することができる。Ｄ２Ｄ通信リンクを確立するための技術の例は、ＰＣＴ特許出願番号：ＰＣＴ／ＵＳ１３／４０５８４、整理番号：ＴＵＴＬ  ００２１８、発明の名称：「マクロセル通信リソースを使用した装置間通信リソースの管理（ＭＡＮＡＧＥＭＥＮＴ  ＯＦ  ＤＥＶＩＣＥ−ＴＯ−ＤＥＶＩＣＥ  ＣＯＭＭＵＮＩＣＡＴＩＯＮ  ＲＥＳＯＵＲＣＥＳ  ＵＳＩＮＧ  ＭＡＣＲＯＣＥＬＬ  ＣＯＭＭＵＮＩＣＡＴＩＯＮ  ＲＥＳＯＵＲＣＥＳ）」（出願日：２０１３年５月１０日）において検討され、参照によりその全体が本明細書に組み込まれている。関連する出願に記載されるＤ２Ｄ管理通信、の一部として、又は、に加えて、チャネルパラメータは、モバイル無線装置から基地局へ送信され、プリコーディングＭＩＭＯパラメータは、セルラ下りリンク通信リソース１３０を使用して、基地局からモバイル無線装置へ送信される。
【００３３】
チャネルパラメータは、定義上りリンクセルラ通信リソース１３０の一部１３２を使用して送信される。Ｄ２ＤプリコーディングＭＩＭＯパラメータは、定義下りリンクセルラ通信リソース１２８の一部１３４を使用して送信される。本明細書の例では、プリコーディングＭＩＭＯパラメータは、現在のＬＴＥ規格に従って、物理下りリンク制御チャネル（ＰＤＣＣＨ）及び／又は物理下りリンク共有チャネル（ＰＤＳＣＨ）を介して送信される。一例では、新規のＤ２Ｄメッセージは、ＤＣＩフォーマットが、プリコーディングＭＩＭＯパラメータ、Ｄ２Ｄリソース割り当て、他のＤ２Ｄ情報を含むＤ２Ｄフォーマットタイプを示す、ＰＤＳＣＨ又はＰＤＣＣＨ上を送達される。ＰＤＣＣＨにおけるプリコーディングＭＩＭＯパラメータを送信する好適な技術の例としては、共通サーチスペース内にパラメータを送ることが挙げられる。場合によっては、プリコーディングＭＩＭＯパラメータは、ＵＥ個別サーチスペース内に送られる。共通サーチスペースのブロードキャスト技術の使用により、関与するモバイル無線装置へのシグナリングを最小化することができる。例では、チャネルパラメータは、物理上りリンク制御チャネル（ＰＵＣＣＨ）の一部がＤ２Ｄチャネルパラメータに割り当てられることを除き、現在のＬＴＥ規格に従って、ＰＵＣＣＨ及び／又はＰＵＳＣＨを使用してモバイル無線装置から基地局へ送信される。場合によっては、上りリンクデータチャネルも使用することができる。
【００３４】
Ｄ２Ｄチャネルパラメータは、Ｄ２Ｄチャネルのチャネル特性の指標である。チャネルパラメータは、測定されるチャネルを介して他の装置により送信される参照信号を測定することにより、モバイル無線装置により決定される。参照信号を測定するモバイル無線装置は、必ずしも、上りリンクチャネルで基地局へチャネルパラメータを送信するモバイル無線装置ではない。例えば、１つのモバイル無線装置が、別のモバイル無線装置により送信される参照信号を測定し、次いで、その測定値を他の装置へ報告してもよい。他の装置が、次いで、Ｄ２Ｄチャネルのチャネルパラメータを基地局へ報告してもよい。また、チャネルの対称性により、２つのＤ２Ｄ装置間のチャネルＤ２Ｄチャネルのためのチャネルパラメータは、いずれかの方向のチャネルを介した伝送のためのＤ２Ｄ装置のいずれか１つにより決定することができる。図１Ｂにおいて、第２の無線通信装置１０６からのチャネルパラメータチャネル１３２を表す矢印は、破線で描かれ、チャネルパラメータは、場合によっては、第２の装置によって送信されないことを示している。しかしながら、以下で検討されるように、使用される干渉管理技術のタイプに応じて、第２の無線通信装置は、第２の無線通信装置と他の送信装置との間の干渉チャネルのためのチャネルパラメータを報告することができる。
【００３５】
チャネルパラメータは、特定の実施に応じ、様々なフォーマットのいずれかを有することができる。例えば、チャネルパラメータは、直接測定される値、計算されるか、若しくはそうでなければ、測定された値から別な方法で導出されるパラメータ、又はチャネルの特性を伝達する他の指標を含んでもよい。技術の１つには、チャネル状態を表すコードブックから指標を提供することが挙げられる。Ｄ２Ｄチャネルパラメータのためのコードブックは、基地局とモバイル無線装置との間のチャネル特性のためのセルラチャネルパラメータの提供に使用されるコードブックとは異なる。
【００３６】
以下で検討されるように、Ｄ２ＤプリコーディングＭＩＭＯパラメータは、Ｄ２Ｄ送信装置によって、送信される信号用の多素子アンテナの各アンテナ素子において特定の振幅及び位相となる、Ｄ２Ｄ信号に適用されるパラメータである。プリコーディングＭＩＭＯパラメータ、又はプリコーディングＭＩＭＯパラメータから導出される他の値は、アンテナ素子間の所望の位相／振幅構成を達成するために、送信機チェーンに沿う複数の位置のいずれかにおいて、適用されてもよい。プリコーディングされ送信された信号が伝わる各チャネルのチャネル特性は、受信装置で受信されるとき、信号の特性に影響を及ぼす。したがって、プリコーディングＭＩＭＯパラメータは、プリコーディングされた信号が、送信装置と近接受信装置との間の干渉チャネルを介して伝わった後、近接受信装置（意図しない受信装置）１０７において、所望の特性を有するように選択される。よって、プリコーディングＭＩＭＯパラメータは、送信装置１０４と近接受信装置１０７との間の干渉チャネルのチャネル特性に少なくとも基づいて決定される。以下で検討されるように、送信装置と意図する受信装置１０６との間のチャネルなど、他のチャネルのチャネルパラメータはまた、プリコーディングＭＩＭＯパラメータを決定するときに、考慮することもできる。
【００３７】
例では、プリコーディングＭＩＭＯパラメータは、コントローラ１０８内のスケジューラ１１２により決定される。スケジューラ１１２は、基地局内で少なくとも部分的に実施されてもよく、又は別個の実体であってもよい。スケジューラは、１つ又は複数の無線通信装置１０４、１０６、及び１０７から受信したチャネルパラメータを評価し、プリコーディングＭＩＭＯパラメータを決定する。プリコーディングＭＩＭＯパラメータは、ＰＤＣＣＨなどのセルラ下りリンク通信リソースを使用して、送信モバイル装置へ送信される。ＰＤＣＣＨは、定義セルラ下りリンク通信リソースの一部を使用する、定義セルラ下りリンクチャネルである。
【００３８】
図２は、送信Ｄ２Ｄモバイル装置２０２と、受信Ｄ２Ｄモバイル装置２０４と、近接受信装置２０６と、を含む、通信システム１００のブロック図である。送信Ｄ２Ｄモバイル装置２０２、受信Ｄ２Ｄモバイル装置２０４、及び近接受信装置１０７は、第１の無線通信装置１０４が、送信Ｄ２Ｄモバイル装置２０２であり、第２の無線通信装置１０６が、受信Ｄ２Ｄモバイル装置２０４である、図１Ａ及び図１Ｂを参照して検討される、無線通信装置１０４、１０６、１０７の例である。送信Ｄ２Ｄモバイル装置２０２は、Ｄ２Ｄ通信リソース１２２を使用して、Ｄ２Ｄ伝送チャネル（Ｈ１Ａ）２０６を介して、Ｄ２Ｄ伝送信号１２４を、受信Ｄ２Ｄモバイル装置２０４へ送信する。上記のように、Ｄ２Ｄ通信リソース１２２は、定義セルラ通信リソース１２１の一部である。伝送信号１２４はまた、送信Ｄ２Ｄ装置２０２と近接受信装置（意図しない受信側装置）１０７との間の、第１の干渉チャネル（Ｈ１Ｂ）２０８を介して、近接受信装置において受信される。Ｄ２Ｄ伝送信号１２４は、プリコーディングＭＩＭＯパラメータ２１０に従ってプリコーディングされる。プリコーディングＭＩＭＯパラメータ２１０は、コントローラ１０８により決定され、定義セルラ下りリンク通信リソースを使用する、定義セルラ下りリンクチャネル１３４を介して、基地局１０２により送信される。送信Ｄ２Ｄモバイル装置２０２は、プリコーディングＭＩＭＯパラメータ２１０をＤ２Ｄ伝送信号１２４へ適用する。プリコーディングＭＩＭＯパラメータ２１０は、少なくとも第１の干渉チャネル２０８、Ｈ１Ｂのチャネル特性に基づいて決定される。システムに採用される特定のタイプの干渉管理技術に応じ、プリコーディングＭＩＭＯパラメータ２１０は、他のチャネルのチャネル特性及び／又は他のデータに基づいてもよい。プリコーディングＭＩＭＯパラメータを適用する好適な技術の一例としては、ＭＩＭＯ先行マトリクスを使用することが挙げられる。
【００３９】
チャネル特性は、チャネルを介して送信された参照信号を測定することにより決定される。上述のように、Ｄ２Ｄ参照信号を送信する技術の例は、ＰＣＴ特許出願番号：ＰＣＴ／ＵＳ２０１２／６４７１２に記載されている。チャネル特性は、チャネル特性を示すチャネルパラメータ２１２を、定義セルラ上りリンクチャネル１３２を介して基地局１０２へ送信することにより、基地局１０２及びコントローラ１０８に提供される。本明細書の例では、チャネルパラメータは、空間に基づく干渉管理を円滑化するために、少なくとも干渉受信電力レベル及び受信された信号の空間的特性を含む。チャネル測定装置が、周波数−時間リソースが使用可能かどうかを報告している状況では、測定モバイル装置は、参照信号の干渉レベル（受信電力）を測定し、報告する。測定装置が、同一の周波数−時間リソース上のデータを受信する準備ができている場合、装置は、チャネル推定として一般に知られるチャネルの空間特性を測定し、報告する。空間特性パラメータの例としては、チャネルの空間情報の可能な最良の表現を提供するコードブックからの指標及び固有ベクトルが挙げられる。
【００４０】
チャネルパラメータ２１２は、参照信号を測定する装置により送信されてもよい。場合によっては、チャネルパラメータ１３２は、装置を介して、装置が参照信号を測定しなかった基地局１０２へ転送される。図２の例では、第１の干渉チャネルのチャネルパラメータは、送信Ｄ２Ｄモバイル装置２０２又は近接受信装置１０７により測定されてもよい。チャネルパラメータは、自律的に測定され、基地局１０２へ送られてもよく、又は、基地局１０２により送られる指令に応答して提供されてもよい。
【００４１】
本明細書の例では、チャネル特性を測定する装置は、測定される参照信号に関する情報を提供される。情報の例としては、伝送の時間や周波数（即ち、リソースブロック）、変調のタイプ、及び参照信号をコーディングするために使用される送信装置の固有の装置識別子（ＩＤ）など、参照信号を送信するために使用される通信リソースが挙げられる。好適なＩＤの例は、装置の電話番号である。参照信号情報（リソースブロックなど）は、参照信号情報がしばしば変化する、動的であってもよく、又は参照信号に関する情報がまれに変化する、半動的であってもよい。変化が生じるならば、かつ変化が生じる場合、測定装置は、参照信号情報を提供される。基地局１０２は、下りリンク制御チャネルなどの定義セルラ通信リソースを使用して参照信号情報を提供する。情報は、例えば、ＰＤＣＣＨで提供することができる。
【００４２】
一例では、基地局１０２は、近接受信装置１０７に、送信Ｄ２Ｄモバイル装置により送信された参照信号２１４の参照信号情報を提供する。近接受信装置１０７は、参照信号２１６を測定することにより、第１の干渉チャネル２０８、Ｈ１Ｂのチャネル特性を測定し、定義セルラ上りリンク通信リソースを使用して、基地局１０２へ、チャネル特性を示すチャネルパラメータ２１２を送信する。上記のように、チャネルパラメータは、コードブックからの指標であってもよい。別の例では、基地局１０２は、送信Ｄ２Ｄモバイル装置２０２に、近接受信装置１０６により送信された参照信号２１６の参照信号情報を提供する。送信Ｄ２Ｄモバイル装置２０２は、参照信号２１４を測定することにより、第１の干渉チャネル２０８、Ｈ１Ｂのチャネル特性を測定し、定義セルラ上りリンク通信リソースを使用して、基地局１０２へ、チャネル特性を示すチャネルパラメータ２１２を送信する。上記のように、Ｄ２Ｄ伝送チャネル２０６のチャネル特性はまた、プリコーディングＭＩＭＯパラメータ２１０を決定するために使用されてもよい。結果として、送信Ｄ２Ｄモバイル装置２０２又は受信Ｄ２Ｄモバイル装置２０４のいずれかは、Ｄ２Ｄ伝送チャネル２０６のチャネル特性を示すチャネルパラメータを送信してもよい。受信Ｄ２Ｄモバイル装置２０４がチャネルパラメータを決定する場合、受信Ｄ２Ｄモバイル装置２０４は、送信Ｄ２Ｄモバイル装置２０２により送信された参照信号２１６を測定する。送信Ｄ２Ｄモバイル装置２０２がチャネルパラメータを決定する場合、送信Ｄ２Ｄモバイル装置２０２は、受信Ｄ２Ｄモバイル装置２０４により送信された参照信号２１７を測定する。
【００４３】
図３Ａ、図３Ｂ、図３Ｃ、及び図３Ｄは、近接送信装置３０２が、近接伝送チャネル（Ｈ２Ｂ）３０４を介して、近接受信装置１０７に、信号を送信する、システム１００の例のブロック図である。したがって、図３Ａ、図３Ｂ、図３Ｃ、及び図３Ｄの例では、送信される信号が、少なくとも潜在的に受信装置において干渉を引き起こし得るような、同じ時間・周波数通信リソースを使用して送信する装置（２０２、３０２）が２つ存在する。図３Ｂは、近接送信装置３０２が基地局１０２である、図３Ａの一例を示している。図３Ｂの例は、セルラ下りリンク通信リソースがＤ２Ｄ通信用に使用される場合に生じる。
【００４４】
図３Ｃは、近接送信装置３０２が、第２の送信Ｄ２Ｄモバイル装置３０６である、図３Ａのシステムの一例を示す。図３Ｃの例は、セルラ下りリンク通信リソース及び／又はセルラ上りリンク通信リソースがＤ２Ｄ通信用に使用される場合に生じ得る。
【００４５】
図３Ｄは、近接受信装置１０７が基地局１０２である、図１Ａの一例を示す。基地局１０２が近接送信装置３０２である状況では、基地局により使用されるプリコーディングＭＩＭＯパラメータは、セルラ無線チャネルを介して送信されない。図３Ｄの例は、セルラ上りリンク通信リソースがＤ２Ｄ通信用に使用される場合に生じる。
【００４６】
よって、プリコーディングＭＩＭＯパラメータを表す線は、プリコーディングＭＩＭＯパラメータ３０８が、場合によっては、近接送信装置３０２へ送信される必要がないことを示すために、図３Ａにおいて破線として示されている。干渉管理は、両方の受信装置（２０４、１０７）における干渉を緩和又は除去するために使用される。プリコーディングＭＩＭＯパラメータ２１０、３０８は、干渉回避、干渉抑制、干渉除去、及び／又は干渉シェーピングを円滑化するために、送信モバイル装置２０２、３０２へ提供される。プリコーディングＭＩＭＯパラメータ３０８は、少なくとも、近接送信装置と第２のＤ２Ｄモバイル装置２０４との間の第２の干渉チャネル３１０のチャネル特性に基づいて、近接送信装置３０２から送信される信号へ適用される。チャネルパラメータ２１２を表す破線は、基地局１０２に、送信装置のためのプリコーディングＭＩＭＯパラメータを導出するために必要なチャネルパラメータを提供するために、測定及び報告の様々な組合せを採用することができることを示す破線として示されている。図には通信の一方向のみが示されているが、無線通信装置は、役割を変えてもよい。例えば、送信Ｄ２Ｄモバイル装置２０２は、Ｄ２Ｄ受信装置に変わってもよく、Ｄ２Ｄ受信モバイル装置が、送信Ｄ２Ｄモバイル装置となってもよい。同様に、近接送信装置３０２と近接受信装置１０７との間の通信の方向は変わってもよい。
【００４７】
干渉回避は、意図しない受信側装置における干渉が回避されるように伝送信号をプリコーディングすることを含む。干渉は、伝送信号が、直交するように、かつ、受信装置における干渉除去能力をほとんど又は全く必要としないようにプリコーディングすることにより回避される。
【００４８】
干渉抑制は、意図しない受信側装置が、サービスの質（ＱｏＳ）を低下させることなく、干渉のレベルを維持することができるように伝送信号をプリコーディングすることを含む。干渉は、意図しない受信側装置への干渉のリークが最小化されるように伝送信号をプリコーディングすることにより回避される。
【００４９】
干渉除去は、アンテナビーム形成又は干渉キャンセルを使用して実行されてもよい。ビーム形成が使用される場合は、プリコーディングＭＩＭＯパラメータは、送信装置からの伝送をビーム形成するように選択される。受信装置もまた、干渉をキャンセルするために、受信アンテナにビーム形成を適用してもよい。干渉キャンセルが使用される場合は、意図しない受信側装置内の受信機は、受信信号からの干渉をキャンセルする。伝送信号は、受信機が干渉を分離することができ、受信した信号からそれをキャンセルするようにプリコーディングされる。干渉はデコーディングされ、次いで除去される。受信装置は、干渉キャンセルのために、伝送信号に関する情報を有していなければならない。例えば、受信装置は、送信装置により使用される変調及びコードブックの知識を要求してもよい。
【００５０】
干渉シェーピングは、電力制御、時間、又は周波数を使用して伝送をシェーピングすることを含み、かつビーム形成を含む。干渉シェーピングにより、送信された信号は干渉を回避しないが、受信機に基づく除去を円滑化する。干渉の分布は、影響を最小化するために最適化される。干渉シェーピングの例としては、干渉アライメント（ＩＡ）が挙げられる。ＩＡは、全ての干渉信号が、意図しない受信側装置における選択された干渉部分空間内に整列される、ベクトル空間表現において表現することができる。その後干渉信号は、所望の信号を他の（複数の）部分空間内に残しつつ、干渉部分空間において整列された干渉信号をキャンセルするコーディングを適用することによって、無視することができる。
【００５１】
送信モバイル装置及び近接送信装置のための適切なプリコーディングＭＩＭＯパラメータは、採用される特定の干渉管理技術に基づいて、コントローラにより決定される。プリコーディングＭＩＭＯパラメータは、定義セルラ下りリンクチャネルを介して、送信Ｄ２Ｄモバイル装置へ送信される。近接送信装置が第２の送信Ｄ２Ｄモバイル装置３０６である例では、プリコーディングＭＩＭＯパラメータ３０８は、定義セルラ下りリンクチャネルを使用して、近接送信装置にも送信される。各送信装置は、干渉を管理するために、伝送信号にプリコーディングＭＩＭＯパラメータを適用する。上記のように、送信Ｄ２Ｄモバイル装置からの伝送信号１２４は、Ｄ２Ｄ伝送チャネル２０６を介して受信Ｄ２Ｄモバイル装置に送信される。伝送信号は、第１の干渉チャネル２０８を介して、近接受信装置１０７にも伝わる。第２の伝送信号は、近接送信装置３０２により、近接伝送チャネル３０４を介して、近接受信装置１０７に送信される。第２の伝送信号は、第２の干渉チャネル３１０を介して、受信Ｄ２Ｄモバイル装置２０４にも伝わる。
【００５２】
図４は、送信Ｄ２Ｄモバイル装置２０２としての使用に好適な無線通信装置の一例のブロック図である。プリコーディングＭＩＭＯパラメータ２１２は、受信機４０２により受信される。プリコーディングＭＩＭＯパラメータ２１２は、ＰＤＣＣＨなどの定義セルラ下りリンクリソースを使用して送信されるので、受信機４０２は、従来のＬＴＥシステムに従って実施され、動作する。しかしながら、コントローラ４０４及び／又は受信機４０２は、プリコーディングＭＩＭＯパラメータに対応する情報を抽出することができ、したがって、従来のシステムと比較して更なる機能性を含む。コントローラ４０４は、Ｄ２Ｄ信号２１４を変調し、処理し、送信するために、送信機チェーン４０６を制御する。Ｄ２Ｄ信号を送信するための従来の技術に加えて、送信機はまた、プリコーダ４０８においてプリコーディングＭＩＭＯパラメータを適用するようにも構成される。モジュレータ４１０は、Ｄ２Ｄ信号を変調し、レイヤマッピング機能４１４によりレイヤマッピングが適用される。例えば、プリコーダ４０８は、レイヤマッピングの後、かつ、ＯＦＤＭ送信機４１６、４１８の前に位置づけられる。しかしながら、プリコーディングＭＩＭＯパラメータ２１２は、場合によっては、送信機チェーン４０６内の異なる点において適用されてもよい。プリコーダは、アンテナ４２０、４２２において適切な位相及び振幅が実現されるように、プリコーディングＭＩＭＯパラメータをＤ２Ｄ信号に適用する。したがって、プリコーディングＭＩＭＯパラメータ２１２は、プリコーディングされたＤ２Ｄ伝送信号１２４を形成するために、各ＯＦＤＭ送信機４１６、４１８及びアンテナ４２０、４２２を介して送信された信号成分を規定する。アンテナ４２０、４２２は、別個のアンテナであってもよく、又は１つのアンテナのアンテナ素子であってもよい。更に、受信に使用されるアンテナは、場合によっては、伝送にも使用されてもよい。無線通信装置４００を参照して記載されたブロックの様々な機能及び動作は、任意の数の装置、回路、又は素子において実施されてもよい。２つ以上の機能ブロックが１つの装置に統合されてもよく、任意の１つの装置において実行されるように記載される機能は、複数の装置に亘って実施されてもよい。例えば、コントローラ４０４の機能の少なくとも一部は、プリコーダ４０８により実行されてもよく、その逆でもよい。
【００５３】
図５は、通信コアネットワーク及び基地局において実行される干渉管理の方法の一例のフローチャートである。よって、この方法は、セルラ通信システム１００内のコントローラ１０８、スケジューラ１１２、及び／又は基地局１０２の任意の組合せにより実行されてもよい。
【００５４】
ステップ５０２において、チャネルパラメータ２１２は、通信仕様により定義される定義セルラ上りリンクチャネル１３２を介して受信される。定義セルラ上りリンクチャネル１３２の例は、ＬＴＥで定義されたＰＵＣＣＨである。上記のように、チャネルパラメータは、チャネルを介して送信された参照信号を評価することによって、無線通信装置で測定されたチャネルの、チャネル特性の指標である。例では、送信Ｄ２Ｄ装置２０２と、近接受信装置１０７との間の干渉チャネルの干渉チャネルパラメータは、送信Ｄ２Ｄ装置２０２により、近接受信装置１０７により送信された参照信号２１４を測定することによって決定される。干渉チャネルパラメータはまた、近接受信装置１０７により、送信Ｄ２Ｄ装置２０２により送信された参照信号２１６を測定することによっても決定される。
【００５５】
ステップ５０４において、プリコーディングＭＩＭＯパラメータは、少なくともチャネルパラメータに基づいて決定される。プリコーディングＭＩＭＯパラメータは、送信Ｄ２Ｄモバイル装置２０２から送信されたＤ２Ｄ伝送信号１２４に起因する、近接受信装置１０７における干渉を、緩和又は除去するための干渉管理を円滑化するために選択される。
【００５６】
ステップ５０６において、プリコーディングＭＩＭＯパラメータは、基地局からモバイル無線通信装置（ＵＥ）への下りリンク伝送のための通信仕様により定義される定義セルラ下りリンクチャネル１３４を介して、送信Ｄ２Ｄモバイル装置２０２に送信される。上記のように、下りリンクチャネルは、装置固有の、又はブロードキャストのチャネルであってもよい。好適なチャネルの例は、ＬＴＥで定義されたＰＤＣＣＨである。
【００５７】
明らかに、本発明の他の実施形態及び変更例は、これらの教示を参酌して、当業者に容易に創作されるだろう。上述の記載は、例示的であり限定的なものではない。本発明は、上記の明細書及び添付の図面に基づく実施形態及び変更例の全てを含む、以下の請求項によってのみ限定される。したがって、本発明の範囲は、上記の記載を参照して決定されるのではなく、均等物の全範囲と共に添付される請求項を参照して決定されるべきである。
【図１Ａ】
0005922845.tif 000002
【図１Ｂ】
0005922845.tif 000003
【図２】
0005922845.tif 000004
【図３Ａ】
0005922845.tif 000005
【図３Ｂ】
0005922845.tif 000006
【図３Ｃ】
0005922845.tif 000007
【図３Ｄ】
0005922845.tif 000008
【図４】
0005922845.tif 000009
【図５】
0005922845.tif 000010